(57)【要約】【課題】携帯電話端末装置や携帯情報端末装置の位置情報を精度良く測位すし、この正確な端末装置の位置情報に基いて地図案内情報を提供する。【解決手段】地図案内情報提供サーバ２の住所情報／位置情報検索手段２０は、携帯電話端末装置１から入力された住居表示情報を検索キーとして住所情報−位置情報対応テーブル２０１から検索した住所の候補を携帯電話端末装置１の全体制御部１０に渡す。全体制御部１０は、使用者の選択等により確定した住所を検索手段２０に渡し、検索手段２０で検索された当該住所の位置情報を受け取り、当該端末装置の所在位置としてサーバ２の地図案内情報検索手段２４に渡す。地図案内情報検索手段２４は、地図案内情報データベース２４１から検索された当該住所の位置情報に関連した地図案内情報を全体制御部１０に返す。全体制御部１０は、これを文字画像情報表示手段１５を通じて使用者に通知する。【選択図】　図１
2004078451.tif 000002
【特許請求の範囲】
【請求項１】
携帯電話端末装置または携帯情報端末装置の所在位置に基づく地図案内情報を提示する方法であって、
当該端末装置の所在地周辺にある住居表示に基づく住居表示情報を使用者に当該端末装置から入力させる住居表示情報入力手順と、
サーバ装置もしくは当該端末装置が前記住居表示情報を検索キーとして住所を検索する住所検索手順と、
前記住所検索手順によって得られた住所が唯一の場合は当該住所を当該端末装置の所在地の住所として確定し、前記住所検索手順によって得られた住所が複数の場合は前記複数の住所を当該端末装置に表示してその中の１つを使用者に当該端末装置から選択させることで当該端末装置の所在地の住所を確定する住所確定手順と、
サーバ装置もしくは当該端末装置が前記住所確定手順によって得られた住所の位置情報を検索する位置情報検索手順と、
サーバ装置が前記位置情報を当該端末装置の所在位置として地図案内情報を生成する地図案内情報生成手順と、
当該端末装置が前記地図案内情報を表示する地図案内情報表示手順と、を有する
ことを特徴とする地図案内情報提示方法。
【請求項２】
位置測位手段を有する携帯電話端末装置または携帯情報端末装置の所在位置に基づく地図案内情報を提示する方法であって、
サーバ装置もしくは当該端末装置が位置測位手段によって測位された位置および測位誤差から当該端末装置の所在している可能性のあるエリアを算出する所在エリア算出手順と、
サーバ装置もしくは当該端末装置が前記エリアに含まれる住所を検索する住所検索手順と、
当該端末装置の所在地周辺にある住居表示に基づく住居表示情報を使用者に当該端末装置から入力させる住居表示情報入力手順と、
サーバ装置もしくは当該端末装置が前記住所検索手順によって得られた住所の中の１つを前記住居表示情報に基づき選択することで当該端末装置の所在地の住所を確定する住所確定手順と、
サーバ装置もしくは当該端末装置が前記住所確定手順によって得られた住所の位置情報を検索する位置情報検索手順と、
サーバ装置が前記位置情報を当該端末装置の所在位置として地図案内情報を生成する地図案内情報生成手順と、
当該端末装置が前記地図案内情報を表示する地図案内情報表示手順と、を有する
ことを特徴とする地図案内情報提示方法。
【請求項３】
前記住居表示情報が、文字入力手段から入力される住居表示文字列、音声入力手段から入力される住居表示音声情報、および画像入力手段から入力される住居表示画像情報のいずれかである
ことを特徴とする請求項１または請求項２に記載の地図案内情報提示方法。
【請求項４】
前記住居表示情報が、画像入力手段から入力される住居表示画像情報であり、
前記住居表示情報入力手順では、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手順を有する
ことを特徴とする請求項１または請求項２に記載の地図案内情報提示方法。
【請求項５】
所在位置に基づく地図案内情報を提示する携帯電話端末装置または携帯情報端末装置であって、
当該端末装置の所在地周辺にある住居表示に基づく住居表示情報を使用者に当該端末装置から入力させる住居表示情報入力手段と、
前記住居表示情報を検索キーとして住所を検索するもしくはサーバ装置に検索させる住所検索手段と、
前記住所検索手段によって得られた住所が唯一の場合は当該住所を当該端末装置の所在地の住所として確定し、前記住所検索手段によって得られた住所が複数の場合は前記複数の住所を当該端末装置に表示してその中の１つを使用者に当該端末装置から選択させることで当該端末装置の所在地の住所を確定する住所確定手段と、
前記住所確定手段によって得られた住所の位置情報を検索するもしくはサーバ装置に検索させる位置情報検索手段と、
前記位置情報を当該端末装置の所在位置として地図案内情報をサーバ装置に生成させる地図案内情報生成手段と、
前記地図案内情報を表示する地図案内情報表示手段と、を有する
ことを特徴とする地図案内情報提示端末装置。
【請求項６】
所在位置に基づく地図案内情報を提示する位置測位手段を有する携帯電話端末装置または携帯情報端末装置であって、
位置測位手段によって測位された位置および測位誤差から当該端末装置の所在している可能性のあるエリアを算出するもしくはサーバ装置に算出させる所在エリア算出手段と、
前記エリアに含まれる住所を検索するもしくはサーバ装置に検索させる住所検索手段と、
当該端末装置の所在地周辺にある住居表示に基づく住居表示情報を使用者に当該端末装置から入力させる住居表示情報入力手段と、
前記住所検索手段によって得られた住所の中の１つを前記住居表示情報に基づき選択するもしくはサーバ装置に選択させることで当該端末装置の所在地の住所を確定する住所確定手段と、
前記住所確定手段によって得られた住所の位置情報を検索するもしくはサーバ装置に検索させる位置情報検索手段と、
前記位置情報を当該端末装置の所在位置として地図案内情報をサーバ装置に生成させる地図案内情報生成手段と、
前記地図案内情報を表示する地図案内情報表示手段と、を有する
ことを特徴とする地図案内情報提示端末装置。
【請求項７】
前記住居表示情報が、文字入力手段から入力される住居表示文字列、音声入力手段から入力される住居表示音声情報、および画像入力手段から入力される住居表示画像情報のいずれかである
ことを特徴とする請求項５または請求項６に記載の地図案内情報提示端末装置。
【請求項８】
前記住居表示情報が、画像入力手段から入力される住居表示画像情報であり、
前記住居表示情報入力手段は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手段を有する
ことを特徴とする請求項５または請求項６に記載の地図案内情報提示端末装置。
【請求項９】
携帯電話端末装置または携帯情報端末装置の所在位置に基づく地図案内情報を提示するサーバ装置であって、
当該端末装置の所在地周辺にある住居表示に基づく住居表示情報を使用者に当該端末装置から入力させる住居表示情報入力手段と、
前記住居表示情報を検索キーとして住所を検索するもしくは当該端末装置に検索させる住所検索手段と、
前記住所検索手段によって得られた住所が唯一の場合は当該住所を当該端末装置の所在地の住所として確定し、前記住所検索手段によって得られた住所が複数の場合は前記複数の住所を当該端末装置に表示してその中の１つを使用者に当該端末装置から選択させることで当該端末装置の所在地の住所を確定する住所確定手段と、
前記住所確定手段によって得られた住所の位置情報を検索するもしくは当該端末装置に検索させる位置情報検索手段と、
前記位置情報を当該端末装置の所在位置として地図案内情報を生成する地図案内情報生成手段と、
前記地図案内情報を当該端末装置に表示させる地図案内情報表示手段と、を有する
ことを特徴とする地図案内情報提示サーバ装置。
【請求項１０】
位置測位手段を有する携帯電話端末装置または携帯情報端末装置の所在位置に基づく地図案内情報を提示するサーバ装置であって、
位置測位手段によって測位された位置および測位誤差から当該端末装置の所在している可能性のあるエリアを算出するもしくは当該端末装置に算出させる所在エリア算出手段と、
前記エリアに含まれる住所を検索するもしくは当該端末装置に検索させる住所検索手段と、
当該端末装置の所在地周辺にある住居表示に基づく住居表示情報を使用者に当該端末装置から入力させる住居表示情報入力手段と、
前記住所検索手段によって得られた住所の中の１つを前記住居表示情報に基づき選択するもしくは当該端末装置に選択させることで当該端末装置の所在地の住所を確定する住所確定手段と、
前記住所確定手段によって得られた住所の位置情報を検索するもしくは当該端末装置に検索させる位置情報検索手段と、
前記位置情報を当該端末装置の所在位置として地図案内情報を生成する地図案内情報生成手段と、
前記地図案内情報を当該端末装置に表示させる地図案内情報表示手段と、を有する
ことを特徴とする地図案内情報提示サーバ装置。
【請求項１１】
前記住居表示情報が、文字入力手段から入力される住居表示文字列、音声入力手段から入力される住居表示音声情報、および画像入力手段から入力される住居表示画像情報のいずれかである
ことを特徴とする請求項９または請求項１０に記載の地図案内情報提示サーバ装置。
【請求項１２】
前記住居表示情報が、画像入力手段から入力される住居表示画像情報であり、
前記住居表示情報入力手段は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手段を有する
ことを特徴とする請求項９または請求項１０に記載の地図案内情報提示サーバ装置。
【請求項１３】
携帯電話端末装置または携帯情報端末装置の所在位置に基づく地図案内情報を提示するプログラムであって、
当該端末装置の所在地周辺にある住居表示に基づく住居表示情報を使用者に当該端末装置から入力させる住居表示情報入力処理と、
前記住居表示情報を検索キーとして住所を検索するもしくはサーバ装置に検索させる住所検索処理と、
前記住所検索処理によって得られた住所が唯一の場合は当該住所を当該端末装置の所在地の住所として確定し、前記住所検索処理によって得られた住所が複数の場合は前記複数の住所を当該端末装置に表示してその中の１つを使用者に当該端末装置から選択させることで当該端末装置の所在地の住所を確定する住所確定処理と、
前記住所確定処理によって得られた住所の位置情報を検索するもしくはサーバ装置に検索させる位置情報検索処理と、
前記位置情報を当該端末装置の所在位置として地図案内情報をサーバ装置に生成させる地図案内情報生成処理と、
前記地図案内情報を表示する地図案内情報表示処理と、を携帯電話端末装置または携帯情報端末装置に実行させる
ことを特徴とする地図案内情報提示プログラム。
【請求項１４】
位置測位手段を有する携帯電話端末装置または携帯情報端末装置の所在位置に基づく地図案内情報を提示するプログラムであって、
位置測位手段によって測位された位置および測位誤差から当該端末装置の所在している可能性のあるエリアを算出するもしくはサーバ装置に算出させる所在エリア算出処理と、
前記エリアに含まれる住所を検索するもしくはサーバ装置に検索させる住所検索処理と、
当該端末装置の所在地周辺にある住居表示に基づく住居表示情報を使用者に当該端末装置から入力させる住居表示情報入力処理と、
前記住所検索処理によって得られた住所の中の１つを前記住居表示情報に基づき選択するもしくはサーバ装置に選択させることで当該端末装置の所在地の住所を確定する住所確定処理と、
前記住所確定処理によって得られた住所の位置情報を検索するもしくはサーバ装置に検索させる位置情報検索処理と、
前記位置情報を当該端末装置の所在位置として地図案内情報をサーバ装置に生成させる地図案内情報生成処理と、
前記地図案内情報を表示する地図案内情報表示処理と、を携帯電話端末装置または携帯情報端末装置に実行させる
ことを特徴とする地図案内情報提示プログラム。
【請求項１５】
前記住居表示情報が、文字入力手段から入力される住居表示文字列、音声入力手段から入力される住居表示音声情報、および画像入力手段から入力される住居表示画像情報のいずれかである
ことを特徴とする請求項１３または請求項１４に記載の地図案内情報提示プログラム。
【請求項１６】
前記住居表示情報が、画像入力手段から入力される住居表示画像情報であり、前記住居表示情報入力処理は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す処理を有する
ことを特徴とする請求項１３または請求項１４に記載の地図案内情報提示プログラム。
【請求項１７】
携帯電話端末装置または携帯情報端末装置の所在位置に基づく地図案内情報を提示するプログラムであって、
当該端末装置の所在地周辺にある住居表示に基づく住居表示情報を使用者に当該端末装置から入力させる住居表示情報入力処理と、
前記住居表示情報を検索キーとして住所を検索するもしくは当該端末装置に検索させる住所検索処理と、
前記住所検索処理によって得られた住所が唯一の場合は当該住所を当該端末装置の所在地の住所として確定し、前記住所検索処理によって得られた住所が複数の場合は前記複数の住所を当該端末装置に表示してその中の１つを使用者に当該端末装置から選択させることで当該端末装置の所在地の住所を確定する住所確定処理と、
前記住所確定処理によって得られた住所の位置情報を検索するもしくは当該端末装置に検索させる位置情報検索処理と、
前記位置情報を当該端末装置の所在位置として地図案内情報を生成する地図案内情報生成処理と、
前記地図案内情報を当該端末装置に表示させる地図案内情報表示処理と、をサーバ装置に実行させる
ことを特徴とする地図案内情報提示プログラム。
【請求項１８】
位置測位手段を有する携帯電話端末装置または携帯情報端末装置の所在位置に基づく地図案内情報を提示するプログラムであって、
位置測位手段によって測位された位置および測位誤差から当該端末装置の所在している可能性のあるエリアを算出するもしくは当該端末装置に算出させる所在エリア算出処理と、
前記エリアに含まれる住所を検索するもしくは当該端末装置に検索させる住所検索処理と、
当該端末装置の所在地周辺にある住居表示に基づく住居表示情報を使用者に当該端末装置から入力させる住居表示情報入力処理と、
前記住所検索処理によって得られた住所の中の１つを前記住居表示情報に基づき選択するもしくは当該端末装置に選択させることで当該端末装置の所在地の住所を確定する住所確定処理と、
前記住所確定処理によって得られた住所の位置情報を検索するもしくは当該端末装置に検索させる位置情報検索処理と、
前記位置情報を当該端末装置の所在位置として地図案内情報を生成する地図案内情報生成処理と、
前記地図案内情報を当該端末装置に表示させる地図案内情報表示処理と、をサーバ装置に実行させる
ことを特徴とする地図案内情報提示プログラム。
【請求項１９】
前記住居表示情報が、文字入力手段から入力される住居表示文字列、音声入力手段から入力される住居表示音声情報、および画像入力手段から入力される住居表示画像情報のいずれかである
ことを特徴とする請求項１７または請求項１８に記載の地図案内情報提示プログラム。
【請求項２０】
前記住居表示情報が、画像入力手段から入力される住居表示画像情報であり、
前記住居表示情報入力処理は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す処理を有する
ことを特徴とする請求項１７または請求項１８に記載の地図案内情報提示プログラム。
【発明の詳細な説明】
【０００１】
【発明の属する技術分野】
本発明は、モバイル環境における携帯電話端末装置や携帯情報端末装置の位置情報の測位技術において、端末装置位置の周辺にある景観中の住居表示情報から端末装置位置を精度良く測位し、この高精度な端末装置位置に関連した地図案内情報を提示する方法および装置に関するものである。
【０００２】
【従来の技術】
モバイル環境における利用者の行動支援ツールとして、携帯電話端末装置や携帯情報端末装置であって、端末装置の位置情報を測位することで、端末装置利用者に周辺の案内地図を表示したり、付近にある銀行、コンビニエンスストア、レストラン等の案内情報を通知したりする機能を備えた機器がある。
【０００３】
従来、これらの機器でその位置情報を測位する方法としては、ＧＰＳ（ＧｌｏｂａｌＰｏｓｉｔｉｏｎｉｎｇ　Ｓｙｓｔｅｍ）衛星対応のアンテナを備え、３つまたは４つ以上のＧＰＳ衛星との距離を測位し、三角測量などの手法により端末装置の位置を求めるものや、携帯電話端末装置がそのとき収容されているアンテナ基地局の位置や、基地局で受信する当該携帯電話端末装置の通信電波の電界強度などから、三角測量などの手法により当該端末装置の位置を求めるものがあった。
【０００４】
【発明が解決しようとする課題】
しかし、全ての携帯電話端末装置や携帯情報端末装置がこれらの位置測位手段を備えているわけではなく、特別な位置測位手段の無い携帯電話端末装置や携帯情報端末装置では、その位置情報に基づいて周辺の案内地図を参照することや、付近にある店舗等の案内情報を参照するサービスの利用はできなかった。
【０００５】
また、前述の測位方式における位置情報の測位精度すなわち測位誤差は、数十メートルから数百メートルとかなり大きく、位置情報に基づくきめ細かな道案内情報の提供サービス等を、特に都市部や住宅密集地などで実施するには、測位誤差が大きすぎるという問題があった。
【０００６】
本発明の目的は、上記のような問題に鑑み、特別な位置測位手段を備えていない携帯電話端末装置や携帯情報端末装置および測定誤差の大きな位置測位手段しか備えていない携帯電話端末装置や携帯情報端末装置において、端末装置が在る場所の周辺にある景観中の住居表示情報から当該端末装置の在る場所の住所を確定し、その住所の位置情報をもって当該端末装置の位置情報とすることで、端末装置の位置情報を精度良く測位する手段を提供し、正確な端末装置の位置情報に基づく地図案内情報の提供を実現することにある。
【０００７】
【課題を解決するための手段】
上記の目的を達成するため、本発明は、携帯電話端末装置または携帯情報端末装置の所在位置に基づく地図案内情報を提示する方法であって、当該端末装置の所在地周辺にある住居表示に基づく住居表示情報を使用者に当該端末装置から入力させる住居表示情報入力手順と、サーバ装置もしくは当該端末装置が前記住居表示情報を検索キーとして住所を検索する住所検索手順と、前記住所検索手順によって得られた住所が唯一の場合は当該住所を当該端末装置の所在地の住所として確定し、前記住所検索手順によって得られた住所が複数の場合は前記複数の住所を当該端末装置に表示してその中の１つを使用者に当該端末装置から選択させることで当該端末装置の所在地の住所を確定する住所確定手順と、サーバ装置もしくは当該端末装置が前記住所確定手順によって得られた住所の位置情報を検索する位置情報検索手順と、サーバ装置が前記位置情報を当該端末装置の所在位置として地図案内情報を生成する地図案内情報生成手順と、当該端末装置が前記地図案内情報を表示する地図案内情報表示手順と、を有することを特徴とする地図案内情報提示方法を目的達成の手段とする。
【０００８】
あるいは、位置測位手段を有する携帯電話端末装置または携帯情報端末装置の所在位置に基づく地図案内情報を提示する方法であって、サーバ装置もしくは当該端末装置が位置測位手段によって測位された位置および測位誤差から当該端末装置の所在している可能性のあるエリアを算出する所在エリア算出手順と、サーバ装置もしくは当該端末装置が前記エリアに含まれる住所を検索する住所検索手順と、当該端末装置の所在地周辺にある住居表示に基づく住居表示情報を使用者に当該端末装置から入力させる住居表示情報入力手順と、サーバ装置もしくは当該端末装置が前記住所検索手順によって得られた住所の中の１つを前記住居表示情報に基づき選択することで当該端末装置の所在地の住所を確定する住所確定手順と、サーバ装置もしくは当該端末装置が前記住所確定手順によって得られた住所の位置情報を検索する位置情報検索手順と、サーバ装置が前記位置情報を当該端末装置の所在位置として地図案内情報を生成する地図案内情報生成手順と、当該端末装置が前記地図案内情報を表示する地図案内情報表示手順と、を有することを特徴とする地図案内情報提示方法を目的達成の手段とする。
【０００９】
あるいは、上記の地図案内情報提示方法において、前記住居表示情報が、文字入力手段から入力される住居表示文字列、音声入力手段から入力される住居表示音声情報、および画像入力手段から入力される住居表示画像情報のいずれかであることを特徴とする地図案内情報提示方法を目的達成の手段とする。
【００１０】
あるいは、上記の地図案内情報提示方法において、前記住居表示情報が、画像入力手段から入力される住居表示画像情報であり、前記住居表示情報入力手順では、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手順を有することを特徴とする地図案内情報提示方法を目的達成の手段とする。
【００１１】
あるいは、所在位置に基づく地図案内情報を提示する携帯電話端末装置または携帯情報端末装置であって、当該端末装置の所在地周辺にある住居表示に基づく住居表示情報を使用者に当該端末装置から入力させる住居表示情報入力手段と、前記住居表示情報を検索キーとして住所を検索するもしくはサーバ装置に検索させる住所検索手段と、前記住所検索手段によって得られた住所が唯一の場合は当該住所を当該端末装置の所在地の住所として確定し、前記住所検索手段によって得られた住所が複数の場合は前記複数の住所を当該端末装置に表示してその中の１つを使用者に当該端末装置から選択させることで当該端末装置の所在地の住所を確定する住所確定手段と、前記住所確定手段によって得られた住所の位置情報を検索するもしくはサーバ装置に検索させる位置情報検索手段と、前記位置情報を当該端末装置の所在位置として地図案内情報をサーバ装置に生成させる地図案内情報生成手段と、前記地図案内情報を表示する地図案内情報表示手段と、を有することを特徴とする地図案内情報提示端末装置を目的達成の手段とする。
【００１２】
あるいは、所在位置に基づく地図案内情報を提示する位置測位手段を有する携帯電話端末装置または携帯情報端末装置であって、位置測位手段によって測位された位置および測位誤差から当該端末装置の所在している可能性のあるエリアを算出するもしくはサーバ装置に算出させる所在エリア算出手段と、前記エリアに含まれる住所を検索するもしくはサーバ装置に検索させる住所検索手段と、当該端末装置の所在地周辺にある住居表示に基づく住居表示情報を使用者に当該端末装置から入力させる住居表示情報入力手段と、前記住所検索手段によって得られた住所の中の１つを前記住居表示情報に基づき選択するもしくはサーバ装置に選択させることで当該端末装置の所在地の住所を確定する住所確定手段と、前記住所確定手段によって得られた住所の位置情報を検索するもしくはサーバ装置に検索させる位置情報検索手段と、前記位置情報を当該端末装置の所在位置として地図案内情報をサーバ装置に生成させる地図案内情報生成手段と、前記地図案内情報を表示する地図案内情報表示手段と、を有することを特徴とする地図案内情報提示端末装置を目的達成の手段とする。
【００１３】
あるいは、上記の地図案内情報提示装置において、前記住居表示情報が、文字入力手段から入力される住居表示文字列、音声入力手段から入力される住居表示音声情報、および画像入力手段から入力される住居表示画像情報のいずれかであることを特徴とする地図案内情報提示端末装置を目的達成の手段とする。
【００１４】
あるいは、上記の地図案内情報提示装置において、前記住居表示情報が、画像入力手段から入力される住居表示画像情報であり、前記住居表示情報入力手段は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手段を有することを特徴とする地図案内情報提示端末装置を目的達成の手段とする。
【００１５】
あるいは、携帯電話端末装置または携帯情報端末装置の所在位置に基づく地図案内情報を提示するサーバ装置であって、当該端末装置の所在地周辺にある住居表示に基づく住居表示情報を使用者に当該端末装置から入力させる住居表示情報入力手段と、前記住居表示情報を検索キーとして住所を検索するもしくは当該端末装置に検索させる住所検索手段と、前記住所検索手段によって得られた住所が唯一の場合は当該住所を当該端末装置の所在地の住所として確定し、前記住所検索手段によって得られた住所が複数の場合は前記複数の住所を当該端末装置に表示してその中の１つを使用者に当該端末装置から選択させることで当該端末装置の所在地の住所を確定する住所確定手段と、前記住所確定手段によって得られた住所の位置情報を検索するもしくは当該端末装置に検索させる位置情報検索手段と、前記位置情報を当該端末装置の所在位置として地図案内情報を生成する地図案内情報生成手段と、前記地図案内情報を当該端末装置に表示させる地図案内情報表示手段と、を有することを特徴とする地図案内情報提示サーバ装置を目的達成の手段とする。
【００１６】
あるいは、位置測位手段を有する携帯電話端末装置または携帯情報端末装置の所在位置に基づく地図案内情報を提示するサーバ装置であって、位置測位手段によって測位された位置および測位誤差から当該端末装置の所在している可能性のあるエリアを算出するもしくは当該端末装置に算出させる所在エリア算出手段と、前記エリアに含まれる住所を検索するもしくは当該端末装置に検索させる住所検索手段と、当該端末装置の所在地周辺にある住居表示に基づく住居表示情報を使用者に当該端末装置から入力させる住居表示情報入力手段と、前記住所検索手段によって得られた住所の中の１つを前記住居表示情報に基づき選択するもしくは当該端末装置に選択させることで当該端末装置の所在地の住所を確定する住所確定手段と、前記住所確定手段によって得られた住所の位置情報を検索するもしくは当該端末装置に検索させる位置情報検索手段と、前記位置情報を当該端末装置の所在位置として地図案内情報を生成する地図案内情報生成手段と、前記地図案内情報を当該端末装置に表示させる地図案内情報表示手段と、を有することを特徴とする地図案内情報提示サーバ装置を目的達成の手段とする。
【００１７】
あるいは、上記の地図案内情報提示サーバ装置において、前記住居表示情報が、文字入力手段から入力される住居表示文字列、音声入力手段から入力される住居表示音声情報、および画像入力手段から入力される住居表示画像情報のいずれかであることを特徴とする地図案内情報提示サーバ装置を目的達成の手段とする。
【００１８】
あるいは、上記の地図案内情報提示サーバ装置において、前記住居表示情報が、画像入力手段から入力される住居表示画像情報であり、前記住居表示情報入力手段は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手段を有することを特徴とする地図案内情報提示サーバ装置を目的達成の手段とする。
【００１９】
あるいは、携帯電話端末装置または携帯情報端末装置の所在位置に基づく地図案内情報を提示するプログラムであって、当該端末装置の所在地周辺にある住居表示に基づく住居表示情報を使用者に当該端末装置から入力させる住居表示情報入力処理と、前記住居表示情報を検索キーとして住所を検索するもしくはサーバ装置に検索させる住所検索処理と、前記住所検索処理によって得られた住所が唯一の場合は当該住所を当該端末装置の所在地の住所として確定し、前記住所検索処理によって得られた住所が複数の場合は前記複数の住所を当該端末装置に表示してその中の１つを使用者に当該端末装置から選択させることで当該端末装置の所在地の住所を確定する住所確定処理と、前記住所確定処理によって得られた住所の位置情報を検索するもしくはサーバ装置に検索させる位置情報検索処理と、前記位置情報を当該端末装置の所在位置として地図案内情報をサーバ装置に生成させる地図案内情報生成処理と、前記地図案内情報を表示する地図案内情報表示処理と、を携帯電話端末装置または携帯情報端末装置に実行させることを特徴とする地図案内情報提示プログラムを目的達成の手段とする。
【００２０】
あるいは、位置測位手段を有する携帯電話端末装置または携帯情報端末装置の所在位置に基づく地図案内情報を提示するプログラムであって、位置測位手段によって測位された位置および測位誤差から当該端末装置の所在している可能性のあるエリアを算出するもしくはサーバ装置に算出させる所在エリア算出処理と、前記エリアに含まれる住所を検索するもしくはサーバ装置に検索させる住所検索処理と、当該端末装置の所在地周辺にある住居表示に基づく住居表示情報を使用者に当該端末装置から入力させる住居表示情報入力処理と、前記住所検索処理によって得られた住所の中の１つを前記住居表示情報に基づき選択するもしくはサーバ装置に選択させることで当該端末装置の所在地の住所を確定する住所確定処理と、前記住所確定処理によって得られた住所の位置情報を検索するもしくはサーバ装置に検索させる位置情報検索処理と、前記位置情報を当該端末装置の所在位置として地図案内情報をサーバ装置に生成させる地図案内情報生成処理と、前記地図案内情報を表示する地図案内情報表示処理と、を携帯電話端末装置または携帯情報端末装置に実行させることを特徴とする地図案内情報提示プログラムを目的達成の手段とする。
【００２１】
あるいは、上記の地図案内情報提示プログラムにおいて、前記住居表示情報が、文字入力手段から入力される住居表示文字列、音声入力手段から入力される住居表示音声情報、および画像入力手段から入力される住居表示画像情報のいずれかであることを特徴とする地図案内情報提示プログラムを目的達成の手段とする。
【００２２】
あるいは、上記の地図案内情報提示プログラムにおいて、前記住居表示情報が、画像入力手段から入力される住居表示画像情報であり、前記住居表示情報入力処理は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す処理を有することを特徴とする地図案内情報提示プログラムを目的達成の手段とする。
【００２３】
あるいは、携帯電話端末装置または携帯情報端末装置の所在位置に基づく地図案内情報を提示するプログラムであって、当該端末装置の所在地周辺にある住居表示に基づく住居表示情報を使用者に当該端末装置から入力させる住居表示情報入力処理と、前記住居表示情報を検索キーとして住所を検索するもしくは当該端末装置に検索させる住所検索処理と、前記住所検索処理によって得られた住所が唯一の場合は当該住所を当該端末装置の所在地の住所として確定し、前記住所検索処理によって得られた住所が複数の場合は前記複数の住所を当該端末装置に表示してその中の１つを使用者に当該端末装置から選択させることで当該端末装置の所在地の住所を確定する住所確定処理と、前記住所確定処理によって得られた住所の位置情報を検索するもしくは当該端末装置に検索させる位置情報検索処理と、前記位置情報を当該端末装置の所在位置として地図案内情報を生成する地図案内情報生成処理と、前記地図案内情報を当該端末装置に表示させる地図案内情報表示処理と、をサーバ装置に実行させることを特徴とする地図案内情報提示プログラムを目的達成の手段とする。
【００２４】
あるいは、位置測位手段を有する携帯電話端末装置または携帯情報端末装置の所在位置に基づく地図案内情報を提示するプログラムであって、位置測位手段によって測位された位置および測位誤差から当該端末装置の所在している可能性のあるエリアを算出するもしくは当該端末装置に算出させる所在エリア算出処理と、前記エリアに含まれる住所を検索するもしくは当該端末装置に検索させる住所検索処理と、当該端末装置の所在地周辺にある住居表示に基づく住居表示情報を使用者に当該端末装置から入力させる住居表示情報入力処理と、前記住所検索処理によって得られた住所の中の１つを前記住居表示情報に基づき選択するもしくは当該端末装置に選択させることで当該端末装置の所在地の住所を確定する住所確定処理と、前記住所確定処理によって得られた住所の位置情報を検索するもしくは当該端末装置に検索させる位置情報検索処理と、前記位置情報を当該端末装置の所在位置として地図案内情報を生成する地図案内情報生成処理と、前記地図案内情報を当該端末装置に表示させる地図案内情報表示処理と、をサーバ装置に実行させることを特徴とする地図案内情報提示プログラムを目的達成の手段とする。
【００２５】
あるいは、上記の地図案内情報提示プログラムにおいて、前記住居表示情報が、文字入力手段から入力される住居表示文字列、音声入力手段から入力される住居表示音声情報、および画像入力手段から入力される住居表示画像情報のいずれかであることを特徴とする地図案内情報提示プログラムを目的達成の手段とする。
【００２６】
あるいは、上記の地図案内情報提示プログラムにおいて、前記住居表示情報が、画像入力手段から入力される住居表示画像情報であり、前記住居表示情報入力処理は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す処理を有することを特徴とする地図案内情報提示プログラムを目的達成の手段とする。
【００２７】
本発明では、入力された住居表示情報を検索キーとして住所を検索し、検索された住所の位置情報を当該端末装置の所在位置として地図案内情報を提示すること、および位置測位手段によって測位されたエリアに含まれる住所の中から、正確な住所を入力された住居表示情報に基づき選択し、選択された住所の位置情報を当該端末装置の所在位置として地図案内情報を提示することにより、特別な位置測位手段を持たない携帯電話端末装置や携帯情報端末装置において、当該端末装置の位置を測位し、これに基づく地図案内情報を提示するとともに、位置測位手段を有する携帯電話端末装置や携帯情報端末装置等の端末装置において、測位した当該端末装置の位置をより正確に高精度化し、これに基づく地図案内情報を提示する。
【００２８】
【発明の実施の形態】
本発明の実施形態について以下、図面を参照して説明する。
【００２９】
［実施形態例１］
先ず、本発明の第１の実施形態例について説明する。図１は、本実施形態例による装置構成ならびに方法での処理手順を説する図であって、ここでは、携帯電話端末装置を例にあげて説明する。
【００３０】
図１の１は携帯電話端末装置、２は携帯電話端末装置１とネットワーク３で接続されて地図案内情報提供機能を実現する地図案内情報提供サーバであり、ＣＰＵ、メモリなどから成る計算機（コンピュータ）等である。携帯電話端末装置１は全体制御部１０、通信手段１１、メニュー表示選択手段１２、文字入力手段１３、文字画像情報表示手段１６からなり、図１の１２，１３および１６は、実際の携帯電話端末装置にあっては図２に示す、文字画像情報表示ディスプレイ１６とスクロール決定ボタン１７、文字数値入力ボタン１３、および文字画像情報表示ディスプレイ１６が相当する。
【００３１】
また、図１の地図案内情報提供サーバ２は、住所情報／位置情報検索手段２０と地図案内情報検索手段２４とを備え、住所情報／位置情報検索手段２０は、その機能を実現する手段として、図３に示す住所情報とその位置情報との対応テーブル２０１を保持している。また、地図案内情報検索手段２４は、その機能を実現する手段として、地図案内情報データベース２４１を保持している。
【００３２】
ここで、位置情報の測位に当たっては、以下の手順を採る。
【００３３】
先ず、携帯電話端末装置１の文字入力手段１３から端末装置の使用者が入力した住居表示文字列を全体制御部１０が受け取り、これを通信手段１１を経由して地図案内情報提供サーバ２の住所情報／位置情報検索手段２０に渡す。住所情報／位置情報検索手段２０は、受け取った住居表示文字列をキーに、当該文字列を含む一つまたは複数の住所情報を対応テーブル２０１から検索し、携帯電話端末装置１の全体制御部１０に返す。全体制御部１０は、検索された住所情報が一つの場合には、それを当該端末装置の所在地の確定した住所とし、また複数の住所情報が検索された場合には、その情報をメニュー表示選択部１２に渡し、その結果、当該端末装置の使用者が選択した一つの住所情報を当該端末装置の所在地の確定した住所とする。
【００３４】
その後、全体制御部１０は、通信手段１１を介して確定した住所情報を地図案内情報提供サーバ２の住所情報／位置情報検索手段２０に渡す。住所情報／位置情報検索手段２０は、与えられた住所情報からその位置情報を対応テーブル２０１から検索し、それを携帯電話端末装置１の全体制御部１０に返し、全体制御部１０はその位置情報を当該端末装置の位置情報として地図案内情報検索手段２４に渡す。地図案内情報検索手段２４は、当該位置情報に関連した地図案内情報を地図案内情報データベース２４１から検索するなどして生成し、それを携帯電話端末装置１の全体制御部１０に返す。全体制御部１０は、地図案内情報検索手段２４で検索された当該位置情報に関連した地図案内情報を受け取り、文字情報画像情報表示手段１６を通じて当該端末装置の使用者に通知する。
【００３５】
以上が、本実施形態例の説明である。ここでは、住所情報／位置情報検索手段２０および地図案内情報検索手段２４を、ネットワークを介した地図案内情報提供サーバ２の機能として説明したが、これらの機能の一部または全部を携帯電話端末装置または携帯情報端末装置の機能としてもよい。また、全体制御部１０は、端末装置側の機能として説明したが、これを地図案内情報提供サーバ側の機能としてもよい。
【００３６】
［実施形態例２］
次に、本発明の第２の実施形態例について説明する。図４は、本実施形態例による装置構成と方法での処理手順を説する図であって、ここでは、携帯電話端末装置を例にあげて説明する。
【００３７】
図４の１は携帯電話端末装置、２は携帯電話端末装置１とネットワーク３で接続されて地図案内情報提供機能を実現する地図案内情報提供サーバであり、ＣＰＵ、メモリなどから成る計算機（コンピュータ）等である。携帯電話端末装置１は全体制御部１０、通信手段１１、メニュー表示選択手段１２、音声入力手段１４、文字画像情報表示手段１６とからなり、図４の１２，１４および１６は、実際の携帯電話端末装置にあっては図２に示す文字画像情報表示ディスプレイ１６とスクロール決定ボタン１７、マイク１４および文字画像情報表示ディスプレイ１６が相当する。
【００３８】
また、図１の地図案内情報提供サーバ２は、住所情報／位置情報検索手段２０、音声認識抽出手段２１および地図案内情報検索手段２４を備え、住所情報／位置情報検索手段２０はその機能を実現する手段として、図３に示す住所情報とその位置情報との対応テーブル２０１を保持している。また、音声認識抽出手段２１は、その機能を実現する手段として、音声認識辞書２１１を保持し、地図案内情報検索手段２４は、その機能を実現する手段として、地図案内情報データベース２４１を保持している。
【００３９】
ここで、位置情報の測位に当たっては、以下の手順を採る。
【００４０】
先ず、音声入力手段１４から端末装置の使用者が入力した住居表示音声情報を全体制御部１０が受け取り、これを通信手段１１を経由して地図案内情報提供サーバ２の音声認識抽出手段２１に渡す。音声認識抽出手段２１は受け取った住居表示音声情報を音声認識辞書２１１と照合して文字列情報を抽出し、これを携帯電話端末装置１の全体制御部１０に渡す。
【００４１】
次に、全体制御部１０は、これを住居表示文字列として通信手段１１を経由して地図案内情報提供サーバ２の住所情報／位置情報検索手段２０に渡す。住所情報／位置情報検索手段２０は、受け取った住居表示文字列をキーに、当該文字列を含む一つまたは複数の住所情報を対応テーブル２０１から検索し、携帯電話端末装置１の全体制御部１０に返す。
【００４２】
全体制御部１０は、検索された住所情報が一つの場合には、それを当該端末装置の所在地の確定した住所とし、また複数の住所情報が検索された場合には、その情報をメニュー表示選択部１２に渡し、その結果、当該端末装置の使用者が選択した一つの住所情報を当該端末装置の所在地の確定した住所とする。その後、全体制御部１０は、通信手段１１を介して確定した住所情報を地図案内情報提供サーバ２の住所情報／位置情報検索手段２０に渡す。住所情報／位置情報検索手段２０は、与えられた住所情報からその位置情報を対応テーブル２０１より検索し、それを携帯電話端末装置１の全体制御部１０に返す。
【００４３】
全体制御部１０は、その位置情報を受け取り、当該端末装置の位置情報として地図案内情報検索手段２４に渡す。地図案内情報検索手段２４は、当該位置情報に関連した地図案内情報を地図案内情報データベース２４１から検索するなどして生成し、それを携帯電話端末装置１の全体制御部１０に返す。全体制御部１０は、地図案内情報検索手段２４で検索された当該位置情報に関連した地図案内情報を受け取り、文字情報画像情報表示手段１６を通じて当該端末装置の使用者に通知する。
【００４４】
以上が、本実施形態例の説明であるが、ここでは、音声認識抽出手段２１と住所情報／位置情報検索手段２０と地図案内情報検索手段２４を、ネットワークを介した地図案内情報提供サーバの機能として説明したが、これらの機能は、携帯電話端末装置または携帯情報端末装置の機能としてもよい。また、全体制御部１０は、端末装置側の機能として説明したが、これを地図案内情報提供サーバ側の機能としてもよい。
【００４５】
さらに、メニュー表示選択手段１２は、文字画像情報表示ディスプレイ１６とスクロール決定ボタン１７とから構成されるとしたが、複数の住所情報に番号を付与して表示し、その選択は当該住所の番号を音声で図２のマイク１４から入力し、音声認識抽出手段２１を利用することで、当該番号の住所情報を選択するようにしてもよい。
【００４６】
［実施形態例３］
次に、本発明の第３の実施形態例について説明する。図５は、本実施形態例による装置構成ならびに方法での処理手順を説する図であって、ここでは、携帯電話端末装置を例にあげて説明する。
【００４７】
図５の１は携帯電話端末装置、２は携帯電話端末装置１とネットワーク３で接続されて地図案内情報提供機能を実現する地図案内情報提供サーバであり、ＣＰＵ、メモリなどから成る計算機（コンピュータ）等である。携帯電話端末装置１は全体制御部１０、通信手段１１、メニュー表示選択手段１２、画像入力手段１５、および文字画像情報表示手段１６からなり、図５の１２，１５および１６は、実際の携帯電話端末装置にあっては図２に示す、文字画像情報表示ディスプレイ１６とスクロール決定ボタン１７、カメラ１５、および文字画像情報表示ディスプレイ１６が相当する。
【００４８】
また、図５のサーバ２は、住所情報／位置情報検索手段２０、文字認識抽出手段２２、地図案内情報検索手段２４を備え、住所情報／位置情報検索手段２０はその機能を実現する手段として、図３に示す住所情報とその位置情報との対応テーブル２０１を保持している。また、文字認識抽出手段２２は、その機能を実現する手段として、文字認識辞書２２１を保持し、地図案内情報検索手段２４は、その機能を実現する手段として、地図案内情報データベース２４１を保持している。
【００４９】
ここで、位置情報の測位に当たっては、以下の手順を採る。
【００５０】
先ず、画像入力手段１５から端末装置の使用者が入力した住居表示画像情報を全体制御部１０は受け取り、これを通信手段１４を経由して地図案内情報提供サーバ２の文字認識抽出手段２２に渡す。文字認識抽出手段２２は、受け取った住居表示画像情報から文字列情報を文字認識辞書２２１を用いて抽出し、これを携帯電話端末装置１の全体制御部１０に渡す。
【００５１】
次に全体制御部１０は、これを住居表示文字列として通信手段１１を経由して地図案内情報提供サーバ２の住所情報／位置情報検索手段２０に渡す。住所情報／位置情報検索手段２０は、受け取った住居表示文字列をキーに、当該文字列を含む一つまたは複数の住所情報を対応テーブル２０１から検索し、一携帯電話端末装置１の全体制御部１０に返す。
【００５２】
全体制御部１０は、検索された住所情報が一つの場合には、それを当該端末装置の所在地の確定した住所とし、また複数の住所情報が検索された場合には、その情報をメニュー表示選択部１２に渡し、その結果、当該端末装置の使用者が選択した一つの住所情報を当該端末装置の所在地の確定した住所とする。
【００５３】
その後、全体制御部１０は、通信手段１１を介して確定した住所情報を地図案内情報提供サーバ２の住所情報／位置情報検索手段２０に渡す。住所情報／位置情報検索手段２０は与えられた住所情報からその位置情報を対応テーブル２０１より検索し、それを携帯電話端末装置１の全体制御部１０に返す。
【００５４】
全体制御部１０は、その位置情報を受け取り、当該端末装置の位置情報として地図案内情報検索手段２４に渡す。地図案内情報検索手段２４は、当該位置情報に関連した地図案内情報を地図案内情報データベース２４１から検索するなどして生成し、それを携帯電話端末装置１の全体制御部１０に返す。全体制御部１０は、地図案内情報検索手段２４で検索された当該位置情報に関連した地図案内情報を受け取り、文字情報画像情報表示手段１６を通じて当該端末装置の使用者に通知する。
【００５５】
以上が、本実施形態例の説明である。ここでは、文字認識抽出手段２２と住所情報／位置情報検索手段２０と地図案内情報検索手段２４をネットワークを介した地図案内情報提供サーバの機能として説明したが、この機能は携帯電話端末装置または携帯情報端末装置の機能としてよい。また、全体制御部１０は端末装置側の機能として説明したが、これを地図案内情報提供サーバ側の機能としてもよい。
【００５６】
［実施形態例４］
次に、本発明の第４の実施形態例について説明する。図６は、本実施形態例による装置構成ならびに方法での処理手順を説する図であって、ここでは、携帯電話端末装置を例にあげて説明する。
【００５７】
図６の１は携帯電話端末装置、２は携帯電話端末装置１とネットワーク３で接続されて地図案内情報提供機能を実現する地図案内情報提供サーバであり、ＣＰＵ、メモリなどから成る計算機（コンピュータ）等である。携帯電話端末装置１は、画像入力手段１５、メニュー表示選択手段１２、全体制御部１０、通信手段１４、および文字画像情報表示手段１６からなり、図６の１５，１２および１６は、実際の携帯電話端末装置にあっては図２に示す、カメラ１４、文字画像情報表示ディスプレイ１６とスクロール決定ボタン１２、および文字画像情報表示ディスプレイ１６が相当する。
【００５８】
また、図６の地図案内情報提供サーバ２は、住居表示画像パターン／住所情報検索手段２３、住所情報／位置情報検索手段２０、地図案内情報検索手段２４からなり、住居表示画像パターン／住所情報検索手段２３は、その機能を実現する手段として、図７に示す住居表示画像パターンとその住所情報との対応テーブル２３１を保持し、住所情報／位置情報検索手段２０は、その機能を実現する手段として、図３に示す住所情報とその位置情報との対応テーブル２０１を保持している。また、地図案内情報検索手段２４は、その機能を実現する手段として、地図案内情報データベース２４１を保持している。
【００５９】
ここで、位置情報の測位に当たっては、以下の手順を採る。
【００６０】
先ず、画像入力手段１５から端末装置の使用者が入力した住居表示画像を全体制御部１０は受け取り、これを通信手段１１を経由して地図案内情報提供サーバ２の住居表示画像パターン／住所情報検素手段２３に渡す。住居表示画像パターン／住所検索手段２３は、受け取った住居表示画像から対応テーブル２３１を検索して、それに対応する一つまたは複数の住所情報を、携帯電話端末装置１の全体制御部１０に返す。
【００６１】
全体制御部１０は、検索された住所情報が一つの場合には、それを当該端末装置の所在地の確定した住所とし、また複数の住所情報が検索された場合には、その情報をメニュー表示選択部１２に渡し、その結果、当該端末装置の使用者が選択した一つの住所情報を当該端末装置の所在地の住所情報とする。
【００６２】
その後、全体制御部１０は、通信手段１１を介して確定した住所情報を地図案内情報提供サーバ２の住所情報／位置情報検索手段２０に渡す。住所情報／位置情報検索手段２０は、与えられた住所情報からその位置情報を対応テーブル２０１より検索し、それを携帯電話端末装置１の全体制御部１０に返す。
【００６３】
全体制御部１０は、その位置情報を受け取り、当該端末装置の位置情報として地図案内情報検索手段２４に渡す。地図案内情報検索手段２４は、当該位置情報に関連した地図案内情報を地図案内情報データベース２４１から検索するなどして生成し、それを携帯電話端末装置１の全体制御部１０に返す。全体制御部１０は、地図案内情報検索手段２４で検索された当該位置情報に関連した地図案内情報を受け取り、文字情報画像情報表示手段１６を通じて当該端末装置の使用者に通知する。
【００６４】
以上が、本実施形態例の説明である。ここでは、住居表示画像パターン／住所情報検索手段２３と住所情報／位置情報検索手段２０と地図案内情報検索手段２４を、ネットワークを介した地図案内情報提供サーバの機能として説明したが、これらの機能の全てもしくは一部を携帯電話端末装置または携帯情報端末装置の機能としても良い。また、全体制御部１０は端末装置側の機能として説明したが、これを地図案内情報提供サーバ側の機能としてもよい。
【００６５】
さらに、住居表示画像パターン／住所情報検索手段２３は、独立した一つの機能として説明したが、これは住居表示画像パターン／住居表示文字列情報検索手段を別途設け、住居表示画像パターンから検索される住居文字列情報をキーとして、住所情報／位置情報検索手段２０に対して、該当する文字列情報を含む住所情報を検索するようにしてもよい。
【００６６】
［実施形態例５］
次に、本発明の第５の実施形態例について説明する。図８は、本実施形態例による装置構成ならびに方法での処理手順を説する図であって、ここでは、携帯電話端末装置を例にあげて説明する。
【００６７】
図８の１は携帯電話端末装置、２は携帯電話端末装置１とネットワーク３で接続されて地図案内情報提供機能を実現する地図案内情報提供サーバであり、ＣＰＵ、メモリなどから成る計算機（コンピュータ）等である。携帯電話端末装置１は全体制御部１０、通信手段１１、メニュー表示選択手段１２、位置測位手段１９、および文字画像情報表示手段１６とからなり、図８の１２および１６は、実際の携帯電話端末装置にあっては図２に示す、文字画像情報表示ディスプレイ１６とスクロール決定ボタン１７、および文字面像情報表示ディスプレイ１６が相当する。位置情報測位手段１９としてはＧＰＳ等を利用することができる。
【００６８】
また、図８の地図案内情報提供サーバ２は、住所情報／位置情報検索手段２０、および地図案内情報検索手段２４を備え、住所情報／位置情報検索手段２０はその機能を実現する手段として、図３に示す住所情報とその位置情報との対応テーブル２０１を保持している。また、地図案内情報検索手段２４は、その機能を実現する手段として、地図案内情報データベース２４１を保持している。
【００６９】
ここで、位置情報の測位に当たっては、以下の手順を採る。
【００７０】
先ず、位置情報測位手段１９にて測位した位置情報とその許容誤差情報を全体制御部１０が受け取り、これを通信手段１１を経由して地図案内情報提供サーバ２の住所情報／位置情報検索手段２０に渡す。住所情報／位置情報検索手段２０は、与えられた位置情報と許容誤差情報とから、当該端末装置が在る可能性のある位置情報（端末装置所在可能エリア）を算出し、その範囲に含まれる一つまたは複数の住所情報を、携帯電話端末装置１の全体制御部１０に返す。
【００７１】
全体制御部１０は、検索された住所情報が一つの場合には、それを当該端末装置の所在地の確定した住所とし、また複数の住所情報が検索された場合には、その情報をメニュー表示選択部１２に渡し、その結果、当該端末装置の使用者が選択した一つの住所情報を当該端末装置の所在地の確定した住所とする。
【００７２】
その後、全体制御部１０は、通信手段１１を介して確定した住所情報を地図案内情報提供サーバ２の住所情報／位置情報検索手段２０に渡す。住所情報／位置情報検索手段２０は、与えられた確定した住所情報からその位置情報を対応テーブル２０１より検索し、それを携帯電話端末装置１の全体制御部１０に返す。
【００７３】
全体制御部１０は、その位置情報をを受け取り、当該端末装置の位置情報として地図案内情報検索手段２４に渡す。地図案内情報検索手段２４は、当該位置情報に関連した地図案内情報を地図案内情報データベース２４１から検索するなどして生成し、それを携帯電話端末装置１の全体制御部１０に返す。全体制御部１０は、地図案内情報検索手段２４で検索された当該位置情報に関連した地図案内情報を受け取り、文字情報画像情報表示手段１６を通じて当該端末装置の使用者に通知する。
【００７４】
以上が、本実施形態例の説明である。ここでは、住所情報／位置情報検索手段２０、および地図案内情報検索手段２４を、ネットワークを介した地図案内情報提供サーバの機能として説明したが、これらの機能は携帯電話端末装置または携帯情報端末装置の機能としても良い。また、全体制御部１０を端末装置側の機能として説明したが、これらの機能は地図案内情報提供サーバ側の機能としても良い。
【００７５】
［実施形態例６］
次に、本発明の第６の実施形態例について説明する。図９は、本実施形態例による装置構成ならびに方法での処理手順を説する図であって、ここでは、携帯電話端末装置を例にあげて説明する。
【００７６】
図９の１は携帯電話端末装置、２は携帯電話端末装置１とネットワーク３で接続されて地図案内情報提供機能を実現する地図案内情報提供サーバであり、ＣＰＵ、メモリなどから成る計算機（コンピュータ）等である。携帯電話端末装置１は、全体制御部１０、通信手段１１、音声入力手段１４、位置情報測位手段１９、および文字画像情報表示手段１６とからなり、図９の１４および１６は、実際の携帯電話端末装置にあっては図２に示す、マイク１４、および文字画像情報表示ディスプレイ１６が相当する。位置情報測位手段１９としてはＧＰＳ等を利用することができる。
【００７７】
また、図９の地図案内情報提供サーバは２、音声認識抽出手段２１、住所情報／位置情報検索手段２０、および地図案内情報検索手段２４からなり、住所情報／位置情報検索手段２０は、その機能を実現する手段として、図３に示す住所情報とその位置情報との対応テーブル２０１を保持している。また、音声認識抽出手段２１は、その機能を実現する手段として、音声認識辞書２１１を保持し、地図案内情報検索手段２４は、その機能を実現する手段として、地図案内情報データベース２４１を保持している。
【００７８】
ここで、位置情報の測位に当たっては、以下の手順を採る。
【００７９】
先ず、音声入力手段１４から端末装置の使用者が入力した住居表示音声情報を全体制御部１０が受け取り、これを通信手段１１を経由して地図案内情報提供サーバ２の音声認識抽出手段２１渡す。音声認識抽出手段２１は、受け取った住居表示音声情報からそれに対応する住居表示文字列を、音声認識辞書２１１を用いて認識抽出し、全体制御部１０に渡す。
【００８０】
一方、全体制御部１０は、位置情報測位手段１９で測位された位置情報とその許容誤差情報を通信手段１１を介して地図案内情報提供サーバ２の住所情報／位置情報検索手段２０に渡す。住所情報／位置情報検索手段２０は、渡された位置情報と許容誤差情報とから、当該端末装置が在る可能性のある位置情報（端末装置所在可能エリア）を算出し、その範囲に含まれる一つまたは複数の住所情報を、対応テーブル２０１を検索して携帯電話端末装置１の全体制御部１０に返す。
【００８１】
全体制御部１０は、端末所在可能エリアに含まれる住所情報の中から、先に得られた住居表示文字列情報を含む住所を、当該端末装置の所在地の住所として確定し、その確定された住所情報を、位置情報測位検索サーバ２の住所情報／位置情報検索手段２０に渡す。住所情報／位置情報検索手段２０は、与えられた住所情報からその位置情報を対応テーブル２０１より検索し、それを携帯電話端末装置１の全体制御部１０に返す。
【００８２】
全体制御部１０は、その位置情報を受け取り、当該端末装置の正確な位置情報として地図案内情報検索手段２４に渡す。地図案内情報検索手段２４は、当該位置情報に関連した地図案内情報を地図案内情報データベース２４１から検索するなどして生成し、それを携帯電話端末装置１の全体制御部１０に返す。全体制御部１０は、地図案内情報検索手段２４で検索された当該位置情報に関連した地図案内情報を受け取り、文字情報画像情報表示手段１６を通じて当該端末装置の使用者に通知する。
【００８３】
以上が、本実施形態例の説明である。ここでは、音声認識抽出手段２１、住所情報／位置情報検索手段２０、および地図案内情報検索手段２４を、ネットワークを介した地図案内情報提供サーバの機能として説明したが、これらの機能の全てもしくは一部を携帯電話端末装置または携帯情報端末装置の機能としても良い。また全体制御部１０を端末装置側の機能として説明したが、これらの機能は地図案内情報提供サーバ側の機能としても良い。
【００８４】
［実施形態例７］
次に、本発明の第７の実施形態例について説明する。図１０は、本実施形態例による装置構成ならびに方法での処理手順を説する図であって、ここでは、携帯電話端末装置を例にあげて説明する。
【００８５】
図１０の１は携帯電話端末装置、２は携帯電話端末装置１とネットワーク３で接続されて地図案内情報提供機能を実現する地図案内情報提供サーバであり、ＣＰＵ、メモリなどから成る計算機（コンピュータ）等である。携帯電話端末装置１は、全体制御部１０、通信手段１１、画像入力手段１５、位置情報測位手段１９、および文字画像情報表示手段１６とからなり、図１０の１５および１６は、実際の携帯電話端末装置にあっては、図２に示す、カメラ１５、および文字画像情報表示ディスプレイ１６が相当する。位置情報測位手段１９としては、ＧＰＳ等を利用することができる。
【００８６】
また、図１０の地図案内情報提供サーバは２、文字認識抽出手段２２、住所情報／位置情報検索手段２０、および地図案内情報検索手段２４からなり、住所情報／位置情報検索手段２０は、その機能を実現する手段として、図３に示す住所情報とその位置情報との対応テーブル２０１を保持している。また、文字認識抽出手段２２は、その機能を実現する手段として、文字認識辞書２１１を保持し、地図案内情報検索手段２４は、その機能を実現する手段として、地図案内情報データベース２４１を保持している。
【００８７】
ここで、位置情報の測位に当たっては、以下の手順を採る。
【００８８】
先ず、画像入力手段１５から端末装置の使用者が入力した住居表示画像情報を全体制御部１０が受け取り、これを通信手段１１を経由して地図案内情報提供サーバ２の文字認識抽出手段２２に渡す。文字認識抽出手段２２は、受け取った住居表示画像情報から、それに対応する住居表示文字列を、文字認識辞書２１１を用いて認識抽出し、全体制御部１０に渡す。
【００８９】
一方、全体制御部１０は、位置情報測位手段１９で測位された位置情報とその許容誤差情報を通信手段１１を介して地図案内情報提供サーバ２の住所情報／位置情報検索手段２０に渡す。住所情報／位置情報検索手段２０は、渡された位置情報と許容誤差情報とから、当該端末装置が在る可能性のある位置情報（端末装置所在可能エリア）を算出し、その範囲に含まれる一つまたは複数の住所情報を、対応テーブル２０１を検索して携帯電話端末装置１の全体制御部１０に返す。
【００９０】
全体制御部１０は、端末所在可能エリアに含まれる住所情報の中から、先に得られた住居表示文字列情報を含む住所を、当該端末装置の所在地の住所として確定し、その確定された住所情報を、位置情報測位検索サーバ２の住所情報／位置情報検索手段２０に渡す。住所情報／位置情報検索手段２０は、与えられた住所情報からその位置情報を対応テーブル２０１より検索し、それを携帯電話端末装置１の全体制御部１０に返す。
【００９１】
全体制御部１０は、その位置情報を受け取り、当該端末装置の正確な位置情報として地図案内情報検索手段２４に渡す。地図案内情報検索手段２４は、当該位置情報に関連した地図案内情報を地図案内情報データベース２４１から検索するなどして生成し、それを携帯電話端末装置１の全体制御部１０に返す。全体制御部１０は、地図案内情報検索手段２４で検索された当該位置情報に関連した地図案内情報を受け取り、文字情報画像情報表示手段１６を通じて当該端末装置の使用者に通知する。
【００９２】
以上が、本実施形態例の説明である。ここでは、文字認識抽出手段２２、住所情報／位置情報検索手段２０、および地図案内情報検索手段２４を、ネットワークを介した地図案内情報提供サーバの機能として説明したが、これらの機能の全てもしくは一部を携帯電話端末装置または携帯情報端末装置の機能としても良い。また全体制御部１０を端末装置側の機能として説明したが、これらの機能は地図案内情報提供サーバ側の機能としても良い。
【００９３】
［実施形態例８］
次に、本発明の第８の実施形態例について説明する。図１１は、本実施形態例による装置構成ならびに方法での処理手順を説する図であって、ここでは、携帯電話端末装置を例にあげて説明する。
【００９４】
図１１の１は携帯電話端末装置、２は携帯電話端末装置１とネットワーク３で接続されて地図案内情報提供機能を実現する地図案内情報提供サーバであり、ＣＰＵ、メモリなどから成る計算機（コンピュータ）等である。携帯電話端末装置１は全体制御部１０、通信手段１１、画像入力手段１５、位置情報測位手段１９、および文字画像情報表示手段１６とからなり、図１１の１５および１６は、実際の携帯電話端末装置にあっては図２に示す、カメラ１５、および文字画像情報表示ディスプレイ１６が相当する。位置情報測位手段１９としては、ＧＰＳ等を利用することができる。
【００９５】
また、図１１の地図案内情報提供サーバ２は、住居表示画像パターン／住所情報検索手段２３、住所情報／位置情報検索手段２０、および地図案内情報検索手段２４からなり、住居表示画像パターン／住所情報検索手段２３は、その機能を実現する手段として、図７に示す住居表示画像パターンとその住所情報との対応テーブル２３１を保持し、住所情報／位置情報検索手段２０は、その機能を実現する手段として、図３に示す住所情報とその位置情報との対応テーブル２０１を保持している。また、地図案内情報検索手段２４は、その機能を実現する手段として、地図案内情報データベース２４１を保持している。
【００９６】
ここで、位置情報の測位に当たっては、以下の手順を採る。
【００９７】
先ず、画像入力手段１５から端末装置の使用者が入力した住居表示画像情報を全体制御部１０が受け取り、これを通信手段１１を経由して地図案内情報提供サーバ２の住居表示画像パターン／住所情報検索手段２３に渡す。住居表示画像パターン／住所検索手段２３は、受け取った住居表示画像から対応テーブル２３１を検索して、それに対応する一つまたは複数の住所情報を、携帯電話端末装置１の全体制御部１０に渡す。
【００９８】
一方、全体制御部１０は、位置情報測位手段１９で測位された位置情報とその許容誤差情報を通信手段１１を介して地図案内情報提供サーバ２の住所情報／位置情報検索手段２０に渡す。住所情報／位置情報検索手段２０は、渡された位置情報と許容誤差情報とから、当該端末装置が在る可能性のある位置情報（端末装置所在可能エリア）を算出し、その範囲に含まれる一つまたは複数の住所情報を対応テーブル２０１から検索し、携帯電話端末装置１の全体制御部１０に返す。
【００９９】
全体制御部１０は、先に住居表示画像情報から得られた住所情報と、端末装置所在可能エリアに含まれる住所情報とを比較し、当該端末装置の所在地の住所を確定し、その確定された住所情報を、位置情報測位検索サーバ２の住所情報／位置情報検索手段２０に渡す。住所情報／位置情報検索手段２０は、与えられた住所情報からその位置情報を対応テーブル２０１より検索し、それを携帯電話端末装置１の全体制御部１０に返す。
【０１００】
全体制御部１０は、その位置情報を受け取り、当該端末装置の位置情報として地図案内情報検索手段２４に渡す。地図案内情報検索手段２４は、当該位置情報に関連した地図案内情報を地図案内情報データベース２４１から検索するなどして生成し、それを携帯電話端末装置１の全体制御部１０に返す。全体制御部１０は、地図案内情報検索手段２４で検索された当該位置情報に関連した地図案内情報を受け取り、文字情報画像情報表示手段１６を通じて当該端末装置の使用者に通知する。
【０１０１】
以上が、本実施形態例の説明であるが、ここでは住居表示画像パターン／住所情報検索手段２３、住所情報／位置情報検索手段２０、および地図案内情報検索手段２４を、ネットワークを介した地図案内情報提供サーバの機能として説明したが、これらの機能の全てもしくは一部を携帯電話端末装置または携帯情報端末装置の機能としても良い。また、全体制御部１０を端末装置側の機能として説明したが、これらの機能は地図案内情報提供サーバ側の機能としても良い。
【０１０２】
［実施形態例９］
次に、本発明の第９の実施形態例について説明する。本実施形態例は、実施形態例３，４，７，８において、住居表示画像情報を入力するに当たって、景観中の住居表示プレートの形状に合わせた枠等のプレートの輪郭を表すガイド線を住居表示画像情報に重ねて表示することで、端末装置の使用者に、住居表示画像情報を入力するよう促し、住居表示プレートの形状に合わせた住居表示画像を取得しやすくしたものである。図１２に、画像入力手段を備えた携帯電話端末装置において、住居表示画像と住居表示プレート形状を重ね合わせて表示させた例を示す。図１２の１８が、住居表示画像を入力するときのガイド情報である住居表示プレートの形状情報である。
【０１０３】
［実施形態例１０］
本発明は、図１，４〜６，８〜１１で示した手段の一部もしくは全部の機能を、コンピュータ等の演算処理手段や制御手段を用いて実現できること、あるいは、これらの図を用いて説明した処理の手順をコンピュータ等に実行させることができることは言うまでもなく、コンピュータ等でその各手段の機能を実現するためのプログラム、あるいは、コンピュータ等にその処理の手順を実行させるためのプログラムを、そのコンピュータ等が読み取り可能な記録媒体、例えば、ＦＤ（フロッピーディスク：登録商標）や、ＭＯ，ＲＯＭ、メモリカード、ＣＤ，ＤＶＤ、リムーバルディスクなどに記録して、保存したり、提供したりすることが可能であり、また、インターネットのような通信ネットワークを通じて、該プログラムを提供したりすることも可能である。このようにして記録媒体や通信ネットワークにより提供されたプログラムを、コンピュータ等の演算処理手段や制御手段にインストールすることで、本発明が実施可能となる。
【０１０４】
【発明の効果】
以上の説明の通り、本発明によれば、特別な位置情報測位手段をもたない携帯電話端末装置や携帯情報端末装置においても、使用者が端末装置周辺の景観中の住居表示情報を文字列として入力することで、当該端末装置の位置情報を測位することが可能となり、その測位された位置情報を基にした様々な地図案内情報の提供が可能となる。
【０１０５】
また、本発明によれば、端末装置の音声入力手段から端末装置周辺の景観中の住居表示情報を入力するという簡単な操作で、当該端末装置の位置情報を測位することが可能となり、その測位された位置情報を基にした様々な地図案内情報の提供が可能となる。
【０１０６】
また、本発明によれば、端末装置の画像入力手段から端末装置周辺の景観中の住居表示画像情報を入力するという簡単な操作で、当該端末装置の位置情報を測位することが可能となり、その測位された位置情報を基にした様々な地図案内情報の提供が可能となる。
【０１０７】
また、本発明によれば、使用者が端末装置周辺の景観中の住居表示情報を参照することで、当該端末装置の位置情報をより正確に精度良く測位することが可能となり、正確な位置情報に基づくきめ細かな地図案内情報の提供が可能となる。
【０１０８】
また、本発明によれば、端末装置の音声入力手段から端末装置周辺の景観中の住居表示情報を入力するという簡単な操作で、当該端末装置の位置情報をより正確に精度良く測位することが可能となり、正確な位置情報に基づくきめ細かな地図案内情報の提供が可能となる。
【０１０９】
また、本発明によれば、端末装置の画像入力手段から端末装置周辺の景観中の住居表示画像情報を入力するという簡単な操作で、当該端末装置の位置情報をより精度良く測位することが可能となり、正確な位置情報に基づくきめ細かな地図案内情報の提供が可能となる。
【０１１０】
さらに、本発明によれば、住居表示画像情報からの住居文字列情報の認識抽出処理を、精度良く短時間で行うのに適した住居表示画像情報を使用者に容易に入力させることが可能となる。
【０１１１】
同様に、本発明によれば、住居表示画像パターンからの住所情報検索する手段において、住居表示画像パターンとの照合処理を、精度良く短時間で行うのに適した住居表示画像情報を使用者に容易に入力させることが可能になる。
【図面の簡単な説明】
【図１】本発明の実施形態例１による装置構成ならびに方法での処理手順を説するブロック図。
【図２】携帯電話端末装置が備える機能の具体的手段を説明する図。
【図３】図１における住所情報／位置情報検索手段を構成するテーブルを説明する図。
【図４】本発明の実施形態例２による装置構成ならびに方法での処理手順を説するブロック図。
【図５】本発明の実施形態例３による装置構成ならびに方法での処理手順を説するブロック図。
【図６】本発明の実施形態例４による装置構成ならびに方法での処理手順を説するブロック図。
【図７】図６における住居表示画像パターン／住所情報検索手段を構成するテーブルを説明する図。
【図８】本発明の実施形態例５による装置構成ならびに方法での処理手順を説するブロック図。
【図９】本発明の実施形態例６による装置構成ならびに方法での処理手順を説するブロック図。
【図１０】本発明の実施形態例７による装置構成ならびに方法での処理手順を説するブロック図。
【図１１】本発明の実施形態例８による装置構成ならびに方法での処理手順を説するブロック図。
【図１２】本発明の実施形態例９において住居表示画像情報を、実際の住居表示プレートの形状に合わせて取得する方法での処理手順を説する図。
【符号の説明】
１…携帯電話端末装置
１０…全体制御部
１１…通信手段
１２…メニュー表示選択手段
１３…文字入力手段（図２では文字数値入力ボタン）
１４…音声入力手段（図２ではマイク）
１５…画像入力手段（図２ではカメラ）
１６…文字画像情報表示手段（図２では文字画像情報表示ディスプレイ）
１７…スクロール決定ボタン
１８…住居表示のプレート形状
１９…位置情報測位手段
２…地図案内情報提供サーバ
２０…住所情報／位置情報検索手段
２１…音声認識抽出手段
２２…文字認識抽出手段
２３…住居表示画像パターン／住所情報検索手段
２４…地図案内情報検索手段
３…ネットワーク
【図１】
2004078451.tif 000003
【図２】
2004078451.tif 000004
【図３】
2004078451.tif 000005
【図４】
2004078451.tif 000006
【図５】
2004078451.tif 000007
【図６】
2004078451.tif 000008
【図７】
2004078451.tif 000009
【図８】
2004078451.tif 000010
【図９】
2004078451.tif 000011
【図１０】
2004078451.tif 000012
【図１１】
2004078451.tif 000013
【図１２】
2004078451.tif 000014